【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
それぞれ光軸方向に移動可能な第１および第２のレンズユニットと、
前記第１のレンズユニットを駆動する第１のアクチュエータと、
前記第２のレンズユニットを駆動する第２のアクチュエータとを有し、
前記第１のアクチュエータの非通電状態において、前記第１のレンズユニットは、前記第２のアクチュエータにより駆動される前記第２のレンズユニットによって駆動され、
前記第１および第２のレンズユニットのうち一方のレンズユニットに、前記非通電状態において他方のレンズユニットに当接する当接部が設けられていることを特徴とするレンズ装置。
【請求項２】
前記第２のレンズユニットは、前記第１のレンズユニットよりも被写体側に配置されており、
前記第１のアクチュエータは、前記第１および第２のレンズユニットの像面側への格納動作時において非通電状態となり、
該非通電状態において、前記第１のレンズユニットは、前記第２のアクチュエータにより前記像面側に駆動される前記第２のレンズユニットによって、所定の格納位置まで駆動されることを特徴とする請求項１に記載のレンズ装置。
【請求項３】
前記第１のアクチュエータは、非通電状態において安定停止位置を持たないアクチュエータであることを特徴とする請求項１又は２に記載のレンズ装置。
【請求項４】
前記第１のアクチュエータは、ボイスコイルモータであることを特徴とする請求項３に記載のレンズ装置。
【請求項５】
前記当接部が弾性部材により構成されていることを特徴とする請求項１から４のいずれか１つに記載のレンズ装置。
【請求項６】
前記第１のレンズユニットは、前記格納位置まで駆動された状態で、前記第２のレンズユニットと前記第１のレンズユニットよりも像面側に配置された部材とにより前記格納位置に保持されることを特徴とする請求項２に記載のレンズ装置。
【請求項７】
前記第１のレンズユニットの移動に応じて信号を出力する検出手段と、
該検出手段からの信号に基づいて前記第１のレンズユニットの移動量を検出し、該検出移動量が基準位置からの目標移動量になるように前記第１のアクチュエータの駆動を制御する制御手段とを有し、
前記制御手段は、前記第１のレンズユニットが前記格納位置に駆動された際に前記検出移動量をリセットすることを特徴とする請求項６に記載のレンズ装置。
【請求項８】
光軸方向に移動可能な第１のレンズユニットと、
該第１のレンズユニットよりも被写体側に配置され、光軸方向に移動可能な第２のレンズユニットと、
前記第１のレンズユニットを駆動する第１のアクチュエータと、
前記第２のレンズユニットを駆動する第２のアクチュエータとを有し、
前記第１のレンズユニットは、撮影の際に前記第１のアクチュエータにより被写体側に駆動される第１の状態と、収納指示のあった場合に前記第２のアクチュエータにより駆動される第２のレンズユニットによって像面側に駆動される第２の状態とで動作することを特徴とするレンズ装置。
【請求項９】
前記第１のレンズユニットは、前記第２の状態において、前記第２のレンズユニットが前記第１のレンズユニットに当接して像面側に駆動されることを特徴とする請求項８に記載のレンズ装置。
【請求項１０】
請求項１から９のいずれか１つに記載のレンズ装置と、
該レンズ装置により形成された被写体像を光電変換する撮像素子とを有することを特徴とする撮像装置。
【手続補正２】
【補正対象書類名】明細書
【補正対象項目名】０００７
【補正方法】変更
【補正の内容】
【０００７】
上記の目的を達成するために、本発明のレンズ装置は、それぞれ光軸方向に移動可能な第１および第２のレンズユニットと、第１のレンズユニットを駆動する第１のアクチュエータと、第２のレンズユニットを駆動する第２のアクチュエータとを有する。そして、第１のアクチュエータの非通電状態において、第１のレンズユニットは、第２のアクチュエータにより駆動される第２のレンズユニットによって駆動されるようにしている。また、第１および第２のレンズユニットのうち一方のレンズユニットに、非通電状態において他方のレンズユニットに当接する当接部を設けている。
【手続補正３】
【補正対象書類名】明細書
【補正対象項目名】００３４
【補正方法】変更
【補正の内容】
【００３４】
駆動原理としては、公知のボイスコイルモータと同等である。コイル５１は光軸方向にヨーク５２を取り巻くように第３鏡筒１９に巻き回されており、永久磁石５４は光軸方向に着磁されている。永久磁石５３からの磁束は、ヨーク５２の外側から内側の方向に、光軸に対して放射状に発生し、コイル５１の巻回方向に対して直交している。このため、コイル５１に電流を流すことにより、第３鏡筒１９は光軸方向に駆動力を受け、第１および第２ガイドバー５５，５６に沿って移動する。また、コイル５１に流す電流の向きを切り換えることにより、第３鏡筒１９の移動方向を切り換えることができる。
【手続補正４】
【補正対象書類名】明細書
【補正対象項目名】００３６
【補正方法】変更
【補正の内容】
【００３６】
磁気センサ１７からは、第３鏡筒１９の移動に伴うマグネットスケール５８の移動に応じて正弦波状の信号が出力される。制御回路７０は、この信号をパルス波に整形してそのパルス数をカウントすることにより、第３鏡筒１９の移動量を検出する。この移動量検出は、撮像装置の電源がＯＮされた後、常に行われる。そして、制御回路７０は、この検出された移動量が、所定の基準位置に対して予め不図示のメモリに記憶された若しくは演算により求められた目標移動量となるように、コイル５１に流す電流の方向と量を制御することによって、フォーカシングのための第３鏡筒１９の駆動を行う。上記基準位置の設定方法については後述する。
【手続補正５】
【補正対象書類名】明細書
【補正対象項目名】００４０
【補正方法】変更
【補正の内容】
【００４０】
ここで、第２鏡筒１４の第３鏡筒１９との当接部に衝撃吸収部材１４ｂ，１４ｃを設け、かつ撮像素子地板５に設けられたストッパ部５ａ，５ｂの撮像素子６からの距離精度をある程度高く出しておくことによって、第３鏡筒１９を光軸方向においてほとんどガタなく光軸方向の所定位置（沈胴位置）に位置決めすることができる。したがって、電源ＯＦＦ時に、制御回路７０内に設けられた、第３鏡筒１９の移動量カウンタをリセットすることにより、そこが第３鏡筒１９の移動量（位置）制御における基準位置となる。これにより、測距動作により得られた被写体距離に応じて前述した目標移動量を設定し、最適なフォーカス位置に第３鏡筒１９を移動させる際の精度が、電源をＯＦＦするごとに保証されることになる。そして、毎回の電源ＯＦＦ時に移動量カウンタがリセットされることにより、電源ＯＮに際してのリセット動作を行う必要がなくなるほか、基準位置検知のためのセンサを設ける必要もなくなり、カメラの小型化、制御の簡単化を図ることができる。
【手続補正６】
【補正対象書類名】明細書
【補正対象項目名】００４２
【補正方法】変更
【補正の内容】
【００４２】
また、上記実施例では、非通電状態において安定停止位置を持たないアクチュエータの例としてボイスコイルモータを挙げたが、本発明は、ボイスコイルモータ以外のアクチュエータでも非通電状態において安定停止位置を持たないものを用いるいずれの場合にも適用することができる。
【手続補正７】
【補正対象書類名】図面
【補正対象項目名】図４
【補正方法】変更
【補正の内容】
【図４】
2005274631.tif 000001
【手続補正８】
【補正対象書類名】図面
【補正対象項目名】図５
【補正方法】変更
【補正の内容】
【図５】
2005274631.tif 000002